(57)【要約】【課題】電動ベッドの動力源の駆動を停止させる機構を、簡素且つ合理的に、背ボトムに備えさせる。【解決手段】電動ベッドの動力源に対する制御部材は、右側バー６０とヘッド側バー６２とを右側バー６０の回動とヘッド側バー６２の移動とを許容して連係させる右側ジョイント６３と、左側バー６１とヘッド側バー６２とを左側バー６１の回動とヘッド側バー６２の移動とを許容して連係させる左側ジョイント６４とを備える接触体６と、背ボトム１’に対し回動可能に組み合わされると共に自由端に右側バー６０を固定させてなる右側支持体７と、背ボトム１’に対し回動可能に組み合わされると共に自由端に左側バー６１を固定させてなる左側支持体８と、右側支持体７の基準位置からの移動により動力源の駆動回路を開成する右側スイッチ１５と、左側支持体８の基準位置からの移動により動力源の駆動回路を開成する左側スイッチ１６と、を備えてなる。【選択図】図９
2016019611.tif 000002
【特許請求の範囲】
【請求項１】
起伏動される背ボトムを備えた電動ベッドであって、
前記背ボトムの裏側には前記電動ベッドの動力源に対する制御部材が備えられており、
前記制御部材は、
前記背ボトムの右側縁部に沿って配される右側バーと、前記背ボトムの左側縁部に沿って配される左側バーと、前記背ボトムのヘッド側縁部に沿って配されるヘッド側バーと、前記右側バーのヘッド側に位置される端部と前記ヘッド側バーの右端部とを前記右側バーの回動と前記ヘッド側バーの左右方向の移動とを許容して連係させる右側ジョイントと、前記左側バーのヘッド側に位置される端部と前記ヘッド側バーの左端部とを前記左側バーの回動と前記ヘッド側バーの左右方向の移動とを許容して連係させる左側ジョイントとからなる接触体と、
ベッドの長さ方向に沿った回動軸をもって前記背ボトムに対し回動可能に組み合わされると共に自由端に前記右側バーを固定させてなる右側支持体と、
ベッドの長さ方向に沿った回動軸をもって前記背ボトムに対し回動可能に組み合わされると共に自由端に前記左側バーを固定させてなる左側支持体と、
前記右側支持体の基準位置からの前記自由端を前記背ボトムに近接させる向きの移動により前記動力源の駆動回路を開成する右側スイッチと、
前記左側支持体の基準位置からの前記自由端を前記背ボトムに近接させる向きの移動により前記動力源の駆動回路を開成する左側スイッチと、を備えてなる、電動ベッド。
【発明の詳細な説明】
【技術分野】
【０００１】
この発明は、電動ベッドの改良に関する。
【背景技術】
【０００２】
電動ベッドにあっては、通常、ボトムの一部となる背ボトムがモータの駆動力により起伏動されるようになっている。
【０００３】
このように背ボトムが起伏動されているときに、背ボトムの裏側に接触が生じた場合、前記モータの駆動を直ちに停止させることが求められるところである。
【発明の概要】
【発明が解決しようとする課題】
【０００４】
この発明が解決しようとする主たる問題点は、前記のように背ボトムの裏側に接触が生じた場合に電動ベッドの動力源の駆動を停止させる機構を、簡素且つ合理的に、前記背ボトムに備えさせる点にある。
【課題を解決するための手段】
【０００５】
前記課題を達成するために、この発明にあっては、電動ベッドを、起伏動される背ボトムを備えた電動ベッドであって、
前記背ボトムの裏側には前記電動ベッドの動力源に対する制御部材が備えられており、
前記制御部材は、
前記背ボトムの右側縁部に沿って配される右側バーと、前記背ボトムの左側縁部に沿って配される左側バーと、前記背ボトムのヘッド側縁部に沿って配されるヘッド側バーと、前記右側バーのヘッド側に位置される端部と前記ヘッド側バーの右端部とを前記右側バーの回動と前記ヘッド側バーの左右方向の移動とを許容して連係させる右側ジョイントと、前記左側バーのヘッド側に位置される端部と前記ヘッド側バーの左端部とを前記左側バーの回動と前記ヘッド側バーの左右方向の移動とを許容して連係させる左側ジョイントとからなる接触体と、
ベッドの長さ方向に沿った回動軸をもって前記背ボトムに対し回動可能に組み合わされると共に自由端に前記右側バーを固定させてなる右側支持体と、
ベッドの長さ方向に沿った回動軸をもって前記背ボトムに対し回動可能に組み合わされると共に自由端に前記左側バーを固定させてなる左側支持体と、
前記右側支持体の基準位置からの前記自由端を前記背ボトムに近接させる向きの移動により前記動力源の駆動回路を開成する右側スイッチと、
前記左側支持体の基準位置からの前記自由端を前記背ボトムに近接させる向きの移動により前記動力源の駆動回路を開成する左側スイッチと、を備えてなる、ものとした。
【０００６】
前記背ボトムの移動時に前記接触体を構成する右側バーへの接触がなされた場合、右側支持体の移動により右側スイッチは前記駆動回路を開成する。右側支持体の移動は前記回動軸を中心とした円運動であるが、右側バーとヘッド側バーとは右側ジョイントを介して右側バーの回動を許容して連係されており、また、右側支持体の移動によりヘッド側バーは傾動されるが、ヘッド側バーの左右方向の移動は許容されていることから、右側支持体の前記移動はスムースに許容される。前記背ボトムの移動時に前記接触体を構成する左側バーへの接触がなされた場合、左側支持体の移動により左側スイッチは前記駆動回路を開成する。かかる左側支持体の移動は、右側支持体と同様に、スムースに許容される。前記背ボトムの移動時に前記接触体を構成するヘッド側バーへの接触がなされた場合、かかる接触がなされた箇所に応じてこれに連係された右側バー及び左側バーの双方又はいずれか一方を介して右側支持体及び左側支持体の双方又はいずれか一方が移動され、前記駆動回路は以上と同様に開成される。すなわち、かかる電動ベッドによれば、背ボトムの移動時に、その右側縁部、左側縁部、及びヘッド側縁部の範囲内において、背ボトムの裏側に接触があったときは、それが前記範囲内のどの位置であっても、直ちにこの背ボトムに移動力を付与させる動力源の駆動を停止させることができる。
【発明の効果】
【０００７】
この発明によれば、背ボトムの起伏動時にこの背ボトムの裏側に接触が生じた場合にこれを検出して電動ベッドの動力源の駆動を停止させる機構を、簡素且つ合理的に、前記背ボトムに備えさせることができる。
【図面の簡単な説明】
【０００８】
【図１】図１は、この発明の一実施の形態にかかる電動ベッドの平面構成図である。
【図２】図２は、前記電動ベッドの側面構成図である。
【図３】図３は、前記電動ベッドの背ボトム側の背面構成図である。
【図４】図４は、図３において下側に位置される、左側バー、左側支持体及び左側スイッチの底面構成図である。
【図５】図５は、左側バー、左側支持体及び左側スイッチの側面構成図である。
【図６】図６は、図４におけるＡ−Ａ線位置において左側バー、左側支持体及び左側スイッチを断面にして示した構成図である。
【図７】図７は、前記電動ベッドの背ボトム側の側面構成図であり、背ボトムは伏倒位置にある。
【図８】図８は、前記電動ベッドの背ボトム側の側面構成図であり、背ボトムは起立位置にある。
【図９】図９は、制御部材を、背ボトムのヘッド側から見て示した側面構成図であり、右側支持体及び左側支持体は基準位置にある。
【図１０】図１０は、制御部材を、背ボトムのヘッド側から見て示した側面構成図であり、右側支持体及び左側支持体は最大上昇位置にある。
【図１１】図１１は、前記制御部材の要部斜視構成図であり、同図における下側が背ボトム側となっている。
【図１２】図１２は、前記制御部材を構成する左側バーとヘッド側バーと左側ジョイントとを分離させた状態で示した斜視構成図である。
【発明を実施するための形態】
【０００９】
以下、図１〜図１２に基づいて、この発明の典型的な実施の形態について、説明する。この実施の形態にかかる電動ベッドは、ボトム１の一部となる背ボトム１’を起伏動可能に備えたものであって、この背ボトム１’の移動時にこの背ボトム１’の裏側１ａに備えた接触体６への接触がなされた場合に、この背ボトム１’に移動力を付与させる前記電動ベッドの動力源の駆動（稼働）を停止させるようにしたものである。
【００１０】
前記ボトム１はメインフレーム２に支持され、ボトム１上にマットレス（図示は省略する。）が載置される。かかるボトム１は、マットレスを介してベッドに横臥するベッドの利用者の上半身を支持する背ボトム１’と、その余のボトム１”とから構成されている。各ボトム１’、１”はそれぞれ、前記メインフレーム２の左右間に亘る幅を備えた板状を呈している。図中符号３はメインフレーム２を支持する脚体である。
【００１１】
図示の例では、前記背ボトム１’の右側縁部１ｃ、左側縁部１ｂ、及びベッドのヘッド側Ｈに位置されるヘッド側縁部１ｄは、Ｕ字状をなす一つのボトムフレーム１ｅにより構成されている（図３）。
【００１２】
背ボトム１’は、前記右側縁部１ｃのベッドのフット側Ｆに位置される端部と、前記左側縁部１ｂのベッドのフット側Ｆに位置される端部とにおいて、メインフレーム２にベッドの左右方向に軸線を沿わせた軸体１ｆをもって回動可能に組み合わされている。
【００１３】
図示の例では、メインフレーム２には、前記軸体１ｆの下方において図中符号４で示すベッドの左右方向に軸線を沿わせた駆動軸が備えられている。駆動軸４には、背ボトム１’が水平となる伏倒位置において下方に突き出す連係アーム４ａと、この伏倒位置においてベッドのヘッド側Ｈに延び出すリフトアーム４ｂとがそれぞれ設けられている。リフトアーム４ｂは、連係アーム４ａの両側にそれぞれ備えられている。リフトアーム４ｂの自由端には背ボトム１’の裏側１ａ面に接しこれを支えるローラ４ｃが設けられている。
【００１４】
また、図示の例では、メインフレーム２の中央には、図２において想像線で示す前記動力源としてのモータユニット５が据え付けられている。前記連係アーム４ａはかかるモータユニット５を構成する可動部５ａに連係されており、前記モータユニット５を構成するモータが正転駆動されたときには前記ヘッド側Ｈに移動される前記可動部５ａの移動によりその自由端をベッドのヘッド側Ｈに移動させるようになっている。これにより、前記モータが正転駆動されると駆動軸４が図７において半時計回りの向きに回転され、この駆動軸４の回転によりリフトアーム４ｂが起立され、これにより伏倒位置にあった背ボトム１’が起立されるようになっている。背ボトム１’が起立した状態から前記モータが逆転駆動されると、前記可動部５ａは前記フット側Ｆに復動されてリフトアーム４ｂの下降が許容され、これにより背ボトム１’は伏倒されるようになっている。
【００１５】
前記背ボトム１’の裏側１ａには前記モータの制御部材が備えられている。かかる制御部材は、接触体６と、右側支持体７、左側支持体８、右側スイッチ１５、および左側スイッチ１６とを備えている。
【００１６】
右側スイッチ１５及び左側スイッチ１６は、前記モータの図示しない駆動回路の一部を構成するものとなっており、図示の例ではこれらを構成する可動片１７が可動前の位置（図６の位置）から上方に向けて所定量移動されると、前記駆動回路を開成（ＯＦＦ）させるようになっている。これにより、前記駆動回路の図示しないメインスイッチが閉成（ＯＮ）位置にあるときでもモータの駆動を停止して背ボトム１’の移動を中断させることができる。かかる背ボトム１’の移動は、前記右側スイッチ１５及び左側スイッチ１６のいずれか一方が開成されたときに、中断されるようにしておく。前記可動片１７には可動前の位置に復帰する付勢力が常時作用されており、この可動片１７を上方に向けて移動させる力が解かれたとき、つまり、後述の接触体６への接触がなくなったとき、前記駆動回路は閉成されることとなるが、この場合、例えば、前記メインスイッチを一旦開成位置に戻し再度閉成位置に復帰させない限り前記モータの駆動が再開されないようにしておいても良い。
【００１７】
前記接触体６は、前記背ボトム１’の右側縁部１ｃに沿って配される右側バー６０と、前記背ボトム１’の左側縁部１ｂに沿って配される左側バー６１と、前記背ボトム１’のヘッド側縁部１ｄに沿って配されるヘッド側バー６２と、前記右側バー６０のヘッド側Ｈに位置される端部６０ａと前記ヘッド側バー６２の右端部６２ｂとを前記右側バー６０の回動と前記ヘッド側バー６２の左右方向の移動とを許容して連係させる右側ジョイント６３と、前記左側バー６１のヘッド側に位置される端部６１ａと前記ヘッド側バー６２の左端部６２ａとを前記左側バー６１の回動と前記ヘッド側バー６２の左右方向の移動とを許容して連係させる左側ジョイント６４とからなる。
【００１８】
図示の例では、前記各バー６０、６１、６２は、いずれも断面を円形とする棒材から構成されている。
【００１９】
図示の例では、前記各ジョイント６３、６４は、いずれも、第一パーツ６５と第二パーツ６６とを組み合わせてなる。第一パーツ６５は、隣接する二つの辺部であって互いに他方の辺部に対し直交向きとなる二つの辺部を備えた基板部６５ａと、この二つの辺部からそれぞれ立ち上がって前記基板部６５ａに直交する立ち上がり部６５ｂとを備えている。また、第二パーツ６６は、隣接する二つの辺部であって互いに他方の辺部に対し直交向きとなる二つの辺部を備えた基板部６６ａと、この二つの辺部からそれぞれ立ち上がって前記基板部６６ａに直交する立ち上がり部６６ｂと、この立ち上がり部６６ｂの上端から水平方向に突き出す延出部６６ｃとを備えている。そして、第一パーツ６５と第二パーツ６６とは、第一パーツ６５の立ち上がり部６５ｂの上端に第二パーツ６６の延出部６６ｃの突き出し端が位置されるようにした状態で基板部６５ａ、６６ａをネジ止めすることで一体化され、これにより前記各ジョイント６３、６４は、前記ヘッド側バー６２の端部６２ａ、６２ｂを納める方形管様の第一空間６７と、前記右側バー６０及び左側バー６１の端部６０ａ、６１ａを納める方形管様の第二空間６８とを備えるようになっている。
【００２０】
前記第一パーツ６５には、第一空間６７に臨む内面に、前記ヘッド側バー６２の端部６２ａ、６２ｂに接する抜け止め突起６５ｃが設けられている。メインフレーム２側に支持される右側バー６０と左側バー６１との間の距離はヘッド側バー６２の全長より大きく、かつ、右側ジョイント６３の抜け止め突起６５ｃと左側ジョイント６４の抜け止め突起６５ｃとの間の距離もヘッド側バー６２の全長よりやや大きくなっている。これにより、図示の例では、右側バー６０と左側バー６１との間に各ジョイント６３、６４を介してヘッド側バー６２を組み合わせた状態において、前記ヘッド側バー６２の左右方向の移動が許容されるようになっている。
【００２１】
また、前記第一パーツ６５には、第二空間６８に臨む内面に、前記右側バー６０又は左側バー６１の端部６０ａ、６１ａに形成されたこれらのバー６０、６１の中心軸を巡る向きに延びる溝６０ｂ、６１ｂに入り込む係合突起６５ｄが設けられている。これにより、図示の例では、右側バー６０と左側バー６１との間に各ジョイント６３、６４を介してヘッド側バー６２を組み合わせた状態において、前記右側バー６０及び左側バー６１の前記中心軸を中心とした前記溝６０ｂ、６１ｂの長さの範囲内での回動が許容されるようになっている。
【００２２】
前記左側支持体８は、ベッドの長さ方向Ｌに沿った回動軸９をもって前記背ボトム１’に対し回動可能に組み合わされると共に自由端１０に前記左側バー６１を固定させてなる。
【００２３】
図示の例では、左側支持体８は、固定部材１１を介して背ボトム１’の裏側１ａに回動可能に組み合わされている。
【００２４】
固定部材１１は、チャンネル材状をなし、その長さ方向Ｌをベッドの長さ沿わせた状態で、その開放箇所１１ａと反対の基板部１１ｂを背ボトム１’の裏側１ａ面に密着させて、図４中符号１１ｃで示す取り付け部をもって背ボトム１’に固定されている。図示の例では、このように固定される固定部材１１における背ボトム１’の中央側に位置される側板部１１ｄの内面に、ベッドのヘッド側Ｈとベッドのフット側Ｆとにおいてそれぞれ、軸体９ａが固定されている。
【００２５】
図示の例では、左側支持体８は、前記固定部材１１の開放箇所１１ａの幅と略同じ幅を備えた帯板状部１２と、この帯板状部１２の両端部においてそれぞれ屈曲箇所を介して一体に連接されて前記固定部材１１内に入り込んだ軸受け部１３と、固定部材１１よりもベッドの外方側において固定部材１１との間に間隔を開けて左側バー６１を位置づけるように前記帯板状部１２における長さ方向に沿った一方縁部１２ａと左側バー６１とを連接させる連接部１４とを備えている。図示の例では、前記軸受け部１３と軸体９ａとにより、左側支持体８がその長さ方向をベッドの長さ方向Ｌに沿わせるようにして、固定部材１１に軸支されており、前記軸体９ａが前記回動軸９として機能するものとなっている。また、前記連接部１４における左側バー６１との接合部が前記自由端１０として機能するものとなっている。前記連接部１４は、ベッドの長さ方向Ｌにおいて間隔を開けて三箇所に設けられている。
【００２６】
また、図示の例では、前記帯板状部１２における長さ方向に沿った他方縁部１２ｂが前記固定部材１１における背ボトム１’の中央側に位置される側板部１１ｄの内面に前記開放箇所１１ａ側で突き当たって、この帯板状部１２の上面と固定部材１１との間に前記自由端１０に向かうに連れて次第に大きくなる隙間ｘを形成させた位置より下方には左側支持体８は回動しないようになっており（図６、図７）、この位置が左側支持体８の基準位置となっている。
【００２７】
前記左側スイッチ１６は、前記左側支持体８の基準位置からの前記自由端１０を前記背ボトム１’に近接させる向きの移動により前記モータの駆動回路を開成するようになっている。
【００２８】
図示の例では、左側スイッチ１６は、マイクロスイッチとなっており、固定部材１１におけるフット側Ｆに備えられた軸体９ａの側方に備えられている。かかる左側スイッチ１６の機械的検出部としての可動片１７はレバー状になっており、前記固定部材１１の開放箇所１１ａ側に位置されている。そして、図示の例では、左側支持体８が前記基準位置から上方に向けて所定量移動されると、左側支持体８の帯板状部１２が可動片１７に当接してこの可動片１７を可動前の位置から上方に向けて所定量移動させ、これにより前記モータの駆動回路が開成されるようになっている。
【００２９】
前記右側支持体７及び右側スイッチ１５は、前記左側支持体８及び左側スイッチ１６と同一の構成となっていると共に、ベッドを左右に区分する仮想の中心線ｙ（図３参照）を挟んで前記左側支持体８及び左側スイッチ１６と線対称となるように配置されている。よって、右側支持体７及び右側スイッチ１５の詳細な説明は省略する。
【００３０】
前記背ボトム１’の移動時に前記接触体６を構成する右側バー６０への接触がなされた場合、右側支持体７の移動により右側スイッチ１５は前記駆動回路を開成する。右側支持体７の移動は前記回動軸９を中心とした円運動であるが、右側バー６０とヘッド側バー６２とは右側ジョイント６３を介して右側バー６０の回動を許容して連係されており、また、右側支持体７の移動によりヘッド側バー６２は右端部６２ｂを傾斜上としてやや傾動されこととなるが、ヘッド側バー６２の左右方向の移動は許容されていることから、右側支持体７の前記移動はスムースに許容される。前記背ボトム１’の移動時に前記接触体６を構成する左側バー６１への接触がなされた場合、左側支持体８の移動により左側スイッチ１６は前記駆動回路を開成する。かかる左側支持体８の移動は、右側支持体７と同様に、スムースに許容される。前記背ボトム１’の移動時に前記接触体６を構成するヘッド側バー６２への接触がなされた場合、かかる接触がなされた箇所に応じてこれに連係された右側バー６０及び左側バー６１の双方又はいずれか一方を介して右側支持体７及び左側支持体８の双方又はいずれか一方が移動され、前記駆動回路は以上と同様に開成される。すなわち、この実施の形態にかかる電動ベッドによれば、背ボトム１’の移動時に、その右側縁部１ｃ、左側縁部１ｂ、及びヘッド側縁部１ｄの範囲内において、背ボトム１’の裏側１ａに接触があったときは、それが前記範囲内のどの位置であっても、直ちにこの背ボトム１’に移動力を付与させるモータの駆動を停止させることができる。
【００３１】
前記接触体６への接触がなくなれば、前記右側支持体７及び左側支持体８は、自重により基準位置に復動され、前記右側スイッチ１５及び左側スイッチ１６の可動部５ａは可動前の位置に復帰される。
【００３２】
なお、当然のことながら、本発明は以上に説明した実施態様に限定されるものではなく、本発明の目的を達成し得るすべての実施態様を含むものである。
【符号の説明】
【００３３】
１’  背ボトム
６  接触体
６０  右側バー
６１  左側バー
６２  ヘッド側バー
６３  右側ジョイント
６４  左側ジョイント
７  右側支持体
８  左側支持体
１５  右側スイッチ
１６  左側スイッチ
【図１】
2016019611.tif 000003
【図２】
2016019611.tif 000004
【図３】
2016019611.tif 000005
【図４】
2016019611.tif 000006
【図５】
2016019611.tif 000007
【図６】
2016019611.tif 000008
【図７】
2016019611.tif 000009
【図８】
2016019611.tif 000010
【図９】
2016019611.tif 000011
【図１０】
2016019611.tif 000012
【図１１】
2016019611.tif 000013
【図１２】
2016019611.tif 000014